(57)【特許請求の範囲】
【請求項１】
分岐通水口を有する流体管に対して、左右の環状のパッキンによって水密性を保持して接続されると共に、両端外周面に鍔部が形成され、径方向に複数に分割可能なケース体と、該ケース体の鍔部に係止され、径方向に分割形成された規制部材と、前記ケース体の側方を向く分岐口部と、該分岐口部と分岐管との屈曲を許す屈曲装置とを備えた管接続装置であって、
前記規制部材は径方向内側に開口するリング溝が形成されたリング収納部と、該リング収納部に一体的に突出成形された庇部と、前記鍔部に係合する突片部とで構成されており、前記ケース体の端部と前記リング収納部の間と、鍔部の分岐口部側の面と突片部の間とに隙間を設けて取り付けられていると共に、
前記リング収納部にはリング溝に係止リングが装着され、該係止リングの外周に当接させるように押しボルトが設けられていることを特徴とする管接続装置。
【請求項２】
屈曲装置が、分岐管に接続される連絡管と、この連絡管との間に所要の隙間を形成して水密に外嵌できる分岐口部と、連絡管を所定寸法だけ軸方向に摺動できるように前記連絡管と分岐口部の間に介設された係止手段と、で構成された請求項１に記載の管接続装置。
【請求項３】
屈曲装置が、内周面の一部が球面状をなす分岐口部と、この分岐口部内に水密性を保持して摺動可能な球面リングと、この球面リング内に水密性を保持して嵌合され、軸方向に相対的に摺動しうる連絡管と、で構成された請求項１に記載の管接続装置。
【発明の詳細な説明】
【０００１】
【発明の属する技術分野】
本発明は、例えば水道本管等の流体管に分岐管を接続する際に用いられる管接続装置に関する。
【０００２】
【従来の技術】
水道本管等に分岐管を接続するものとして、図１０および図１１に示すような管接続装置としての割Ｔ字管Ａが知られている。
【０００３】
この従来の割Ｔ字管Ａは、三つのケースＢ１、Ｂ２、Ｂ２からなり、それぞれのケースＢ１、Ｂ２、Ｂ２にはフランジＣが設けてある。ケース同士は、対向するフランジＣでパッキンＤを挟み込み、ボルト・ナットＥにより締着される。第１ケースＢ１には、分岐管Ｋに接続される分岐口部Ｆが管軸に対して直角外向きに設けてあり、その分岐口部Ｆの内部に水道本管Ｉと分岐管Ｋとを連絡する連通口Ｆ１が開けてある。また、各ケースの管軸方向両端部には、固定用座Ｇが突出して複数設けられている。固定用座Ｇには雌ねじが切ってあり、固定ボルトＨが外側から内側に向かってねじ込まれている。水道本管Ｉには、分岐管Ｋに通水するための分岐通水口Ｊが穿孔されており、割Ｔ字管Ａは、第１ケースＢ１の連通口Ｆ１をその分岐通水口Ｊに対向する位置に合わせて、水道本管Ｉの外周面に水密に取り付けられている。また、割Ｔ字管Ａは、固定ボルトＨを強くねじ込むことにより、その先端を水道本管Ｉ外周面に食い込ませて水道本管Ｉに固定されている。
【０００４】
【発明が解決しようとする課題】
上記の管接続装置には、地震や地盤沈下等により、水道本管と分岐管がさまざまな方向に相対移動し、曲げや引張り又は圧縮の力が作用する。水道本管と分岐管が管軸方向に相対移動するような場合、第１ケースの分岐口部の基部に大きな力が集中して作用し、割れ等の破損が発生する恐れがあった。また、水道管とケースとは固定ボルトによって締付け固定のみであるため、前述のような力が作用した場合、管接続装置が過度に移動してしまい漏水事故を起こす恐れもあった。
【０００５】
本発明が解決しようとする課題は、上記問題を解決するためになされたもので、分岐口部の基部等に加わる大きな力を逃がすとともに、ケース体の管軸方向への過度の移動による漏水を防止する管接続装置を提供する点にある。
【０００６】
【課題を解決するための手段】
上記課題を解決するために、本発明の管接続装置は、分岐通水口を有する流体管に対して、左右の環状のパッキンによって水密性を保持して接続されると共に、両端外周面に鍔部が形成され、径方向に複数に分割可能なケース体と、該ケース体の鍔部に係止され、径方向に分割形成された規制部材と、前記ケース体の側方を向く分岐口部と、該分岐口部と分岐管との屈曲を許す屈曲装置とを備えた管接続装置であって、
前記規制部材は径方向内側に開口するリング溝が形成されたリング収納部と、該リング収納部に一体的に突出成形された庇部と、前記鍔部に係合する突片部とで構成されており、前記ケース体の端部と前記リング収納部の間と、鍔部の分岐口部側の面と突片部の間とに隙間を設けて取り付けられていると共に、
前記リング収納部にはリング溝に係止リングが装着され、該係止リングの外周に当接させるように押しボルトが設けられていることを特徴としている。
【０００９】
上記屈曲装置が、分岐管に接続される連絡管と、この連絡管との間に所要の隙間を形成して水密に外嵌できる分岐口部と、連絡管を所定寸法だけ軸方向に摺動できるように前記連絡管と分岐口部の間に介設された係止手段と、で構成されるのが好ましい。
【００１０】
上記屈曲装置が、内周面の一部が球面状をなす分岐口部と、この分岐口部内に水密性を保持して摺動可能な球面リングと、この球面リング内に水密性を保持して嵌合され、軸方向に相対的に摺動しうる連絡管と、で構成されるのが好ましい。
【００１１】
本発明の管接続装置によると、地震や地盤沈下等により流体管が分岐管に対して管軸方向に相対移動する場合、規制装置は流体管と管接続装置の所定の距離における相対移動を許容するため、管接続装置の分岐口部の基部に対して力が働くのを抑えることができる。さらに流体管が動き相対移動が許容範囲以上になった場合は規制装置が働き、管接続装置と流体管との相対移動が阻止されるので、移動による漏水が起こることはない。また、分岐口部と分岐管が屈曲するので、分岐口部の基部等に大きな力が作用するのが防止される。
【００１２】
【発明の実施の形態】
以下、本発明の実施例を図面に基づいて説明する。
【００１３】
図１ないし図３は、本発明の第１実施例を示すもので、地中に埋設されたダクタイル鋳鉄製等の水道本管(流体管)１の分岐通水口Ｊの外周面に、ケース体２が水密性を保持して装着されている。ケース体２は、径方向に２分割可能な第１ケース２ａと第２ケース２ｂとからなり、その両端部のパッキン溝３内には、パッキン４が水道本管１の外周面に密着するように装着されている。ケース体２は、２分割に限らず３分割など複数に分割可能であってよい。
【００１４】
第１ケース２ａには、管軸に対して直角外向きに分岐口部５が一体に設けられており、その分岐口部５の先端開口部の内周面には、環状パッキン溝５ａと係止凸部（係止手段）５ｂが形成されている。
【００１５】
連絡管６は、分岐口部５の最小内径部よりも小さな外径をしており、環状パッキン溝５ａに配された環状パッキン７を介して分岐口部５内に、伸縮可撓自在に取り付けられている。連絡管６の一端には、分岐管１３を接続するためのフランジ８が、他端には、係止凸部５ｂに当接し連絡管６の抜け出しを防止するストッパーリング(係止手段)９が設けられている。連絡管６は、分岐口部５外周面に伸縮可撓自在に外嵌してもよい。
【００１６】
ケース体２のパッキン溝３の管軸方向外側に、径方向内側に開口するリング溝（溝部）１０が形成してあり、このリング溝１０には周方向で複数に分割された係止リング（係止片）１１が装着されている。リング溝１０の管軸方向の内面には、係止リング１１が当接してその回転を抑制する回転止面１０ａが設けられている。
【００１７】
押しボルト（押圧部）１２は、リング溝１０の外側からねじ込まれ、係止リング１１を水道本管１の外周面に押し付けるように係止リング１１の外周に当接している。
【００１８】
係止リング１１は、図３に示すようにリング溝１０内で管軸方向に回転可能で、かつ管外周面がケース体２の端部から遠去かる方向に移動すると係止リング１１の先端に形成された尖鋭刃１１ａが水道本管１の外周面に食い込むような断面形状に形成されている。したがって、図１において、右側の係止リング１１は、水道本管１が右方向に動いたときに水道本管１の外周面に食い込むように回転し、左側の係止リング１１は、水道本管が左方向に動いたときに水道本管１の外周面に食い込むように回転する。
【００１９】
本発明の管接続装置によって接続された水道本管１と分岐管１３とに管軸方向の相対移動が起こった場合、水道本管１とケース体２が相対移動することにより、ケース体２に加わる力が低減される。さらに、連絡管６がケース体２に対して撓み、または伸縮することによってケース体２の分岐口部の基部にかかるに力が低減される。また、水道本管１とケース体２が相対移動することにより尖鋭刃１１ａの水道本管１外周面への食い込み量は増加する。リング溝１０の回転止面１０ａに係止リング１１が当接して回転が止まったとき、その食い込み量は最大となって水道本管１とケース体２の相対移動は阻止されるため、ケース体２が所定移動量以上に動いて漏水するようなことはない。
【００２０】
したがって従来のように、分岐口部５の基部に亀裂が発生したり、ケース体２が軸方向に移動して漏水するような恐れはなくなる。
【００２１】
図４および図５は本発明の第２実施例を示す。地中に埋設されたダクタイル鋳鉄製等の水道本管(流体管)１の外周面に、ケース体２が水密性を保持して装着されている。ケース体２は、径方向に２分割可能な第１ケース２ａと第２ケース２ｂとからなり、その両端部のパッキン溝３内には、パッキン４が水道本管１の外周面に密着するように装着されている。
【００２２】
第１ケース２ａには、管軸に対して直角外向きに分岐口部５が一体に設けられており、その分岐口部５の先端開口部の内周面には、環状パッキン溝５ａと球状面５ｃが形成されている。分岐口部５の内側に、外周面が球面状に形成され、内側に環状パッキン溝１４ａと係止凸部１４ｂが形成してある球面リング１４が環状パッキン７を介して水密に嵌合されている。分岐口部５の外側には、内周面に球状面が形成してある押輪１５が前記球面リング１４の抜け出しを防止するように止着されている。
【００２３】
連絡管６は、環状パッキン溝１４ａに配された環状パッキン１６を介して水密に球面リング１４に挿入されている。連絡管６の一端には、分岐管１３を接続するためのフランジ８が、他端には、係止凸部１４ｂに当接し連絡管６の抜け出しを防止するストッパーリング９がボルトにより取り付けられている。
【００２４】
ケース体２の両端外周面には、後述する規制部材１９を係止する鍔部１８が形成されている。規制部材１９は、径方向に２分割されており、径方向内側に開口するリング溝２０ａを形成してあるリング収納部２０と、リング収納部２０に一体的に突出成形された庇部２１と、前記鍔部１８に係合する突片部２２とで構成されている。係止リング（係止片）１１がリング溝２０ａ内に装着され、その係止リング１１を水道本管１外周面に押し付けるために係止リング１１の外周に当接させるように押しボルト（押圧部）１２がリング溝２０ａの外側からねじ込まれている。この規制部材１９は、ケース体２の端部とリング収納部２０の間（ｘ１）と、鍔部１８の分岐口部側の面と突片部２２の間（ｘ２）とに隙間を設けて取り付けてある。係止リング１１は、第１実施例と同じように作動する。
【００２５】
本発明の管接続装置によって接続された水道本管１と分岐管１３とに管軸方向の相対移動が起こった場合、ケース体２と規制部材１９が鍔部１８のところに隙間を設けて取り付けてあるため、係止リングによる移動量のほかに、軸方向の移動量が付加され、また、分岐口部に球面リングを加えたために分岐口部と接続管の曲げ角が大きく取れるので、ケース体２に加わる力が低減される。
【００２６】
したがって従来のように、分岐口部の基部に亀裂が発生したり、ケース体が軸方向に移動して漏水するような恐れはなくなる。
【００２７】
図６は本発明における規制装置の他の実施例を示している。
【００２８】
頂部に球面凹状部２３ｂが形成され、流体管側に尖鋭刃２３ａが２個所設けられている係止片２３が、押しボルト（押圧部）２４の先端を支点として回転可能な状態で溝部２５内に配設されている。前記球面凹状部２３ｂに契合する球面凸状部２４ａを先端に形成した押しボルト２４が、管軸に対して垂直に溝部２５内に螺入されている。溝部２５内の軸方向の前後には、係止片２３の過回転を防止する回転止面２５ａが形成されている。外側の回転止面２５ａは、管軸に対して垂直に、内側の回転止面２５ａは、外側に向かって倒れて設けられている。
【００２９】
管接続装置取付時の係止片２３は、２個の尖鋭刃が流体管外周面に接触し、押しボルト２４で押されて流体管に所定量食い込んでいる。管接続装置と流体管とが相対移動をはじめると、押しボルト２４の球面凸状部２４ａを支点として管軸方向に係止片２３が回転する。係止片２３は、相対移動に伴って食い込み量を増しながら回転を続け、破線で示したように外側の回転止面２５ａに当接すると回転を止める。係止片２３の回転が止まったときに管接続装置と流体管との相対移動は阻止される。
【００３０】
図７は本発明における規制装置の他の実施例を示している。
【００３１】
頂部を断面円弧状に形成し、流体管側に尖鋭刃２３ａを設けた係止片２３が、押しボルト（押圧部）２４の先端を支点として回転可能な状態で溝部２５内に配設されている。先端を円錐形に形成された押しボルト２４が、管軸方向から溝部２５内に螺入されている。溝部２５内の軸方向の前後には、係止片２３の過回転を防止する回転止面２５ａが形成されている。外側の回転止面２５ａは、管軸に対して垂直に、内側の回転止面２５ａは、外側に向かって倒れて設けられている。
【００３２】
管接続装置取付時の係止片２３は、尖鋭刃２３ａが流体管外周面に接触し、押しボルト２４で押されて流体管に所定量食い込んでいる。管接続装置と流体管とが相対移動をはじめると、押しボルト２４の円錐形部との接点を支点として管軸方向に係止片２３が回転する。係止片２３は、相対移動に伴って食い込み量を増しながら回転を続け、破線で示したように外側の回転止面２５ａに当接すると回転を止める。係止片２３の回転が止まったときに管接続装置と流体管との相対移動は阻止される。
【００３３】
図８は本発明における規制装置の他の実施例を示している。
【００３４】
管軸に対して角度をつけた傾斜面２３ｃが外側に形成され、流体管側に尖鋭刃２３ａが２個所設けられている係止片２３が、押しボルト（押圧部）２４の平面部２４ｂに当接して摺動可能な状態で溝部２５内に配設されている。先端に平面部２４ｂが形成された押しボルト２４が、傾斜面２３ｃと平面部２４ｂが平行に当接するように、傾斜面に垂直な方向からリング溝内に螺入されている。溝部２５内の軸方向の前後には、係止片に当接してその移動を止める移動止面２５ｂが形成されている。
【００３５】
管接続装置取付時の係止片２３は、２個の尖鋭刃が流体管外周面に接触し、押しボルト２４で押されて流体管に所定量食い込んでいる。管接続装置と流体管とが相対移動をはじめると、押しボルト２４の平面部２４ｂと傾斜面２３ｃが接触しながら管軸方向に係止片２３が摺動する。係止片２３は、相対移動に伴ってくさび作用により食い込み量を増しながら移動し、破線で示したように外側の移動止面に当接すると移動を止める。係止片２３の移動が止まったときに管接続装置と流体管との相対移動は阻止される。
【００３６】
図９は本発明における規制装置の他の実施例を示している。
【００３７】
この規制装置は、押しボルト（押圧部）２４を螺入する雌ねじ２３ｄ部が形成され、流体管側に尖鋭刃２３ａが２個所設けられている係止片２３と、管軸に対して角度をつけた傾斜面２５ｃを溝部２５の天井部内面に設け、その天井部に管軸方向に長い長孔２５ｄを設け、軸方向両面に移動止面２５ｂが形成されている溝部２５と、前記傾斜面２５ｃに対接する円板状の大径部２４ｃを一体成形し、先端に雄ねじ部２４ｄを設けた押しボルト２４とからなる。
【００３８】
係止片２３は、長孔２５ｄに挿通された押しボルト２４の雄ねじ部２４ｄに螺入され、押しボルト２４の大径部２４ｃと傾斜面２５ｃが摺動可能な状態でリング溝内に配設されている。
【００３９】
管接続装置取付時の係止片２３は、２個の尖鋭刃が流体管外周面に接触し、押しボルト２４で押されて流体管に所定量食い込んでいる。管接続装置と流体管とが相対移動をはじめると、係止片２３は管と共にに移動し、係止片２３と螺合されている押しボルト２４も大径部２４ｃと傾斜面２５ｃが接触しながら管軸方向に摺動する。係止片２３は、大径部２４ｃと傾斜面２５ｃのくさび作用により食い込み量を増しながら移動し、破線で示したように外側の移動止面に当接すると移動を止める。係止片２３の移動が止まったときに管接続装置と流体管との相対移動は阻止される。
【００４０】
本発明は、上記実施例に限定されるものではない。
【００４１】
第１実施例では、右側の係止リング１１は、水道本管１が右方向に動いたときに水道本管１の外周面に食い込むように設けられているが、水道本管が左方向に動いたときに水道本管１の外周面に食い込むように設けてもよい。
【００４２】
実施例での係止片は、一方向のみに作用するものを示したが、図６の実施例においては、尖鋭刃を左右対象に設けて、左右どちらの動きに作用するようにしてもよく、図７の実施例においては、係止片の傾斜面を左右両方に設け、その傾斜面に当接する補助部材を押しボルトと係止片の間に介在させ、くさび作用が左右どちらの動きに対しても作用するようにしてもよい。
【００４３】
また、規制装置をケース体の両端に２個所設けたが、係止片の作動する方向が左右両方の場合は１個所にしてもよい。
【００４４】
分岐管は、連絡管に仕切弁を取り付けた後に、その仕切弁に取り付けてもよい。
【００４５】
【発明の効果】
本発明によれば、流体管とケース体が相対移動し、分岐口部と分岐管が屈曲するため、分岐口部の基部における亀裂等の損傷の発生が抑えられる。また、流体管とケース体との相対移動が阻止されるため、ケース体が所定移動量以上に動いての漏水が防止される。
【００４６】
また、相対移動により食い込む係止リングにより、初期の押圧力が少なくても確実に相対移動が阻止される。
【００４７】
更に、ケース体が分割されているため、既設管に取り付けることができる。
【００４８】
請求項２および請求項３の発明によれば、分岐口部と分岐管が相対的に屈曲および伸縮が行えるので、分岐口部の基部に働く力が抑えられる。
【００４９】
【図面の簡単な説明】
【図１】本発明の第１実施例を示す一部切欠正面図である。
【図２】同じく、一部切欠側面図である。
【図３】同じく、係止リングを示す拡大断面図である。
【図４】本発明の第２実施例を示す一部切欠正面図である。
【図５】同じく、規制部材を示す拡大断面図である。
【図６】本発明における規制装置の他の実施例を示す断面図である。
【図７】本発明における規制装置の他の実施例を示す断面図である。
【図８】本発明における規制装置の他の実施例を示す断面図である。
【図９】本発明における規制装置の他の実施例を示す断面図である。
【図１０】従来例を示す一部切欠正面図である。
【図１１】従来例を示す中央縦断側面図である。
【符号の説明】
１              水道本管（流体管）
２              ケース体
２ａ            第１ケース
２ｂ            第２ケース
３              パッキン溝
４              パッキン
５              分岐口部
５ａ            環状パッキン溝
５ｂ            係止凸部（係止手段）
５ｃ            球状面
６              連絡管
７              環状パッキン
８              フランジ
９              ストッパーリング（係止手段）
１０            リング溝（溝部)
１０ａ          回転止面
１１            係止リング（係止片）
１１ａ          尖鋭刃
１２            押しボルト（押圧部）
１３            分岐管
１４            球面リング
１４ａ          環状パッキン溝
１４ｂ          係止凸部
１５            押輪
１６            環状パッキン
１８            鍔部
１９            規制部材
２０            リング収納部
２０ａ          リング溝
２１            庇部
２２            突片部
２３            係止片
２３ａ          尖鋭刃
２３ｂ          球面凹状部
２３ｃ          傾斜面
２３ｄ          雌ねじ部
２４            押しボルト
２４ａ          球面凸状部
２４ｂ          平面部
２４ｃ          大径部
２４ｄ          雄ねじ部
２５            溝部
２５ａ          回転止面
２５ｂ          移動止面
２５ｃ          傾斜面
２５ｄ          長孔
Ａ              割Ｔ字管
Ｂ１、Ｂ２      ケース
Ｃ              フランジ
Ｄ              パッキン
Ｅ              ボルト・ナット
Ｆ              分岐口部
Ｆ１            連通口
Ｇ              固定用座
Ｈ              固定ボルト
Ｉ              水道本管
Ｊ              分岐通水口
Ｋ              分岐管
【図１】
0004089793.tif 000002
【図２】
0004089793.tif 000003
【図３】
0004089793.tif 000004
【図４】
0004089793.tif 000005
【図５】
0004089793.tif 000006
【図６】
0004089793.tif 000007
【図７】
0004089793.tif 000008
【図８】
0004089793.tif 000009
【図９】
0004089793.tif 000010
【図１０】
0004089793.tif 000011
【図１１】
0004089793.tif 000012